(57)【要約】【課題】一般的なＴＦＴパネルにおいても、時分割方式を用いてカラムデータ駆動部のバッファの数を減少させることにより、チップサイズ及び電力消費を低減することができるカラムデータ駆動回路、これを備えた表示装置及びその駆動方法を提供すること。【解決手段】本発明のカラムデータ駆動手段は、画像データに対応するプリセット信号により、複数のカラムラインの少なくともいずれか１つのカラムラインをプリチャージさせるプリチャージ手段と、前記画像データに対応するデータ信号を用いて前記複数のカラムラインを順次駆動させる駆動手段と、を備える。【選択図】図５
2010049237.tif 000002
【特許請求の範囲】
【請求項１】
画像データに対応するプリセット信号により、複数のカラムラインの少なくともいずれか１つのカラムラインをプリチャージさせるプリチャージ手段と、
前記画像データに対応するデータ信号を用いて前記複数のカラムラインを順次駆動させる駆動手段と、
を備えることを特徴とするカラムデータ駆動回路。
【請求項２】
前記プリチャージ手段は、
前記画像データに対応するプリセット信号を選択して出力するプリセット信号選択部と、
該プリセット信号選択部から出力されたプリセット信号をカラムラインに伝達するプリセット信号転送部と、
を備えることを特徴とする請求項１に記載のカラムデータ駆動回路。
【請求項３】
前記プリセット信号選択部は、デコーダまたはマルチプレクサからなることを特徴とする請求項２に記載のカラムデータ駆動回路。
【請求項４】
前記プリセット信号転送部は、トランスファゲートからなることを特徴とする請求項２に記載のカラムデータ駆動回路。
【請求項５】
前記駆動手段は、
前記データ信号をバッファリングするバッファと、
該バッファを介して出力されるデータ信号をカラムラインに伝達するデータ信号転送部と、
を備えることを特徴とする請求項１に記載のカラムデータ駆動回路。
【請求項６】
前記データ信号転送部は、トランスファゲートからなることを特徴とする請求項５に記載のカラムデータ駆動回路。
【請求項７】
デジタル信号である前記画像データを受信して、アナログ信号である前記データ信号に変換するＤ／Ａ（Ｄｉｇｉｔａｌ／Ａｎａｌｏｇ）変換部をさらに備えることを特徴とする請求項１に記載のカラムデータ駆動回路。
【請求項８】
複数のローラインとカラムラインとが直交する領域に形成された画素を備える表示パネルと、
前記複数のローラインを駆動させるローデータ駆動手段と、
前記複数のカラムラインを駆動させるカラムデータ駆動手段と、
を備え、
前記カラムデータ駆動手段は、
画像データに対応するプリセット信号により、前記複数のカラムラインの少なくともいずれか１つのカラムラインをプリチャージさせるプリチャージ部と、
前記画像データに対応するデータ信号を用いて前記複数のカラムラインを順次駆動させる駆動部と、
を備えることを特徴とする表示装置。
【請求項９】
前記プリチャージ部は、
前記画像データに対応するプリセット信号を選択して出力するプリセット信号選択部と、
該プリセット信号選択部から出力されたプリセット信号を前記カラムラインに伝達するプリセット信号転送部と、
を備えることを特徴とする請求項８に記載の表示装置。
【請求項１０】
前記プリセット信号選択部は、デコーダまたはマルチプレクサからなることを特徴とする請求項９に記載の表示装置。
【請求項１１】
前記プリセット信号転送部は、トランスファゲートからなることを特徴とする請求項９に記載の表示装置。
【請求項１２】
前記駆動部は、
前記データ信号をバッファリングするバッファと、
該バッファを介して出力されるデータ信号を前記カラムラインに伝達するデータ信号転送部と、
を備えることを特徴とする請求項８に記載の表示装置。
【請求項１３】
前記データ信号転送部は、トランスファゲートからなることを特徴とする請求項１２に記載の表示装置。
【請求項１４】
デジタル信号である前記画像データを受信して、アナログ信号である前記データ信号に変換するＤ／Ａ（Ｄｉｇｉｔａｌ／Ａｎａｌｏｇ）変換部をさらに備えることを特徴とする請求項８に記載の表示装置。
【請求項１５】
前記画素は、液晶または有機発光材料であることを特徴とする請求項８に記載の表示装置。
【請求項１６】
前記画像データに対応して前記プリセット信号を生成するプリセット信号生成部をさらに備えることを特徴とする請求項８に記載の表示装置。
【請求項１７】
前記表示パネルは、非晶質シリコンをベースとすることを特徴とする請求項８に記載の表示装置。
【請求項１８】
前記表示パネルは、低温ポリシリコンをベースとすることを特徴とする請求項８に記載の表示装置。
【請求項１９】
複数のローライン及びカラムラインと、前記ローラインと前記カラムラインとが直交する領域に形成された複数の画素を備える表示パネルと、を備えた表示装置の駆動方法であって、
前記複数のカラムラインから選択されたいずれか１つのカラムラインをデータ信号によって駆動させると同時に、残りのカラムラインにはプリセット信号を伝達して、前記プリセット信号によってプリチャージさせるステップと、
前記プリセット信号によってプリチャージされたカラムラインを前記データ信号によって順次駆動させるステップと、
を含むことを特徴とする表示装置の駆動方法。
【請求項２０】
前記複数のカラムラインから選択されたいずれか１つのカラムラインが、前記複数のローラインをそれぞれ駆動させる水平周期ごとに変更されることを特徴とする請求項１９に記載の表示装置の駆動方法。
【発明の詳細な説明】
【技術分野】
【０００１】
本発明は、表示装置に関し、特に、表示パネルに画像データ（ｉｍａｇｅ  ｄａｔａ）を電圧または電流の形態で印加するカラムデータ駆動回路、これを備えた表示装置及びその駆動方法に関する。
【背景技術】
【０００２】
一般的に、表示パネルの一つである液晶表示装置（ＬＣＤ）は、電界を用いて誘電異方性を有する液晶の光透過率を調整する方式で画像を表示する。このため、液晶表示装置は、複数の画素がマトリクス状に配列された液晶パネルと、液晶パネルを駆動する駆動回路とを備える。
【０００３】
液晶パネルには、複数のゲートライン（以下、「ローライン（ｒｏｗ  ｌｉｎｅ）」とする）と、複数のデータライン（以下、「カラムライン（ｃｏｌｕｍｎ  ｌｉｎｅ）」とする）とが交差して配列される。ローラインとカラムラインとが直交する各々の領域には、画素が位置する。そして、画素の各々に電界を印加するための画素電極及び共通電極が形成される。画素電極の各々は、スイッチング素子である薄膜トランジスタ（Ｔｈｉｎ  Ｆｉｌｍ  Ｔｒａｎｓｉｓｔｏｒ）（以下、「ＴＦＴ」とする）に接続される。
【０００４】
駆動回路は、ローラインを駆動するローデータ駆動部と、カラムラインを駆動するカラムデータ駆動部と、ローデータ駆動部及びカラムデータ駆動部を制御するための制御信号を供給するタイミングコントローラと、液晶パネルに共通電極電圧を供給する共通電極電圧発生部とを備える。
【０００５】
図１は、従来技術に係るカラムデータ駆動部を備えた液晶表示装置を示すブロック図である。図１は、ｍ×ｎ（ｍ、ｎは、自然数）のマトリクスにおいて２×３の構造を一例として示している。
【０００６】
同図に示すように、従来技術に係る液晶表示装置は、液晶パネル１１０と、ローデータ駆動部１２０と、カラムデータ駆動部１３０と、タイミングコントローラ（図示せず）とを備える。
【０００７】
液晶パネル１１０は、複数のローラインＲＬ１〜ＲＬｍ及びカラムラインＣＬ１〜ＣＬｎと、複数のローラインＲＬ１〜ＲＬｍとカラムラインＣＬ１〜ＣＬｎとの各々の交差部に形成された複数の画素Ｐｘとを備える。また、画素Ｐｘは、画素スイッチ部１１２と、液晶１１１とを備える。
【０００８】
ローデータ駆動部１２０は、液晶パネル１１０のロー方向において各画素スイッチ部１１２を制御する。具体的には、タイミングコントローラから提供されるゲート制御信号に応答して、画素スイッチ部１１２にスキャンパルスを順次出力する。
【０００９】
カラムデータ駆動部１３０は、タイミングコントローラからのデータ制御信号に応答して、入力される画像データに対応するデータ信号をカラムラインＣＬ１〜ＣＬｎに出力する。
【００１０】
カラムデータ駆動部１３０は、画像データを受信して、アナログ信号に変換するＤ／Ａ（Ｄｉｇｉｔａｌ／Ａｎａｌｏｇ）変換部１３３と、Ｄ／Ａ変換部１３３から出力された１つのアナログ信号（データ信号）を受信して、液晶パネル１１０のカラムラインを駆動するバッファ１３２＿１〜１３２＿３とを備える。そして、バッファ１３２＿１〜１３２＿３によってバッファリングされたデータ信号を、当該カラムラインＣＬ１〜ＣＬｎにそれぞれ伝達するカラムスイッチ部ＳＷ１〜ＳＷ３を備える。
【００１１】
図２は、図１に示す液晶表示装置の動作を説明するための動作波形図である。
【００１２】
同図に示すように、カラムスイッチ部ＳＷ１〜ＳＷ３は、一般的に、同時にオンまたはオフになる。ローラインＲＬ１〜ＲＬｍは、画素スイッチ部１１２にスキャンパルスを順次出力する。カラムスイッチ部ＳＷ１〜ＳＷ３がオンとなることにより、カラムラインＣＬ１〜ＣＬｎには、データ信号が電圧（または、電流）の形態で印加されるが、このとき、画素の時間遅延（ＲＣ遅延）によるスルー（ｓｌｅｗ）が発生する。このスルーは、画素に電荷を充電するうえで重要な変数になり、スルーが遅すぎると、画像がきちんと表示できないという問題が発生する。
【００１３】
図３は、他の液晶表示装置の構成を示すブロック図である。同図は、図１に示す液晶表示装置のカラムデータ駆動部においてバッファの数を減少させた変形図である。
【００１４】
同図に示すように、カラムデータ駆動部１４０は、Ｄ／Ａ変換部１４３と、バッファ１４２と、複数のカラムスイッチ部ＳＷ１〜ＳＷ３とを備える。複数のカラムスイッチ部ＳＷ１〜ＳＷ３は、１つのバッファ１４２に接続される。これにより、同じバッファ１４２から出力されたデータ信号を、複数の当該カラムラインＣＬ１〜ＣＬ３に伝達するために、ローラインＲＬ１の動作期間において、カラムスイッチ部ＳＷ１〜ＳＷ３を介してバッファのデータ信号をカラムラインＣＬ１〜ＣＬ３に順次伝達する。このような動作方式を、時分割（ｔｉｍｅ  ｓｈａｒｉｎｇ）方式という。
【００１５】
図４は、時分割方式を説明するために示す図３の液晶表示装置の動作波形図である。カラムラインの波形において、実線は、実際に駆動部内のバッファから出力される期間であり、点線は、カラムスイッチ部が動作しないことにより、出力がフローティングする期間である。
【００１６】
同図に示すように、時分割方式では、同じローラインの動作期間（水平周期）において、カラムスイッチ部ＳＷ１〜ＳＷ３を介して時分割しなければならないため、バッファ１４２のスルーマージン（ｓｌｅｗ  ｍａｒｇｉｎ）が、図１に示す液晶表示装置の構成に比べて不十分になるという問題が発生する。
【００１７】
一方、図１において、バッファの数（ｋ）は３つとなっているが、カラムデータ駆動部及び液晶パネルの特性により、ｋ＝２、ｋ＝６、ｋ＝１２などと、人為的に調整可能である。ただし、時分割するバッファの数が多くなるほど、バッファのデータ信号、すなわち、出力電圧または出力電流のセトリングタイムは、ｋに反比例して減少するため、制限が伴う。
【００１８】
このような問題を解決する一環として、液晶パネルの寄生（ｐａｒａｓｉｔｉｃ）時間遅延を減少させるために、低温ポリシリコン（ＬＴＰＳ：Ｌｏｗ  Ｔｅｍｐｅｒａｔｕｒｅ  Ｐｏｌｙ−Ｓｉｌｉｃｏｎ）技術を用いた液晶パネルが開発されたが、従来のＴＦＴパネルに比べて費用が増大するという問題がある。
【発明の概要】
【発明が解決しようとする課題】
【００１９】
そこで、本発明は、従来技術の問題を解決するためになされたものであって、その目的は、一般的なＴＦＴパネルにおいても、時分割方式を用いてカラムデータ駆動部のバッファの数を減少させることにより、チップサイズ及び電力消費を低減することができるカラムデータ駆動回路、これを備えた表示装置及びその駆動方法を提供することにある。
【課題を解決するための手段】
【００２０】
上記の目的を達成するための一形態に係る本発明は、画像データに対応するプリセット信号により、複数のカラムラインの少なくともいずれか１つのカラムラインをプリチャージさせるプリチャージ手段と、前記画像データに対応するデータ信号を用いて前記複数のカラムラインを順次駆動させる駆動手段と、を備えるカラムデータ駆動回路を提供する。
【００２１】
また、上記の目的を達成するための他の形態に係る本発明は、複数のローラインとカラムラインとが直交する領域に形成された画素を備える表示パネルと、前記複数のローラインを駆動させるローデータ駆動手段と、前記複数のカラムラインを駆動させるカラムデータ駆動手段と、を備え、前記カラムデータ駆動手段が、画像データに対応するプリセット信号により、前記複数のカラムラインの少なくともいずれか１つのカラムラインをプリチャージさせるプリチャージ部と、前記画像データに対応するデータ信号を用いて前記複数のカラムラインを順次駆動させる駆動部と、を備える表示装置を提供する。
【００２２】
さらに、上記の目的を達成するためのさらに他の形態に係る本発明は、複数のローライン及びカラムラインと、前記ローラインと前記カラムラインとが直交する領域に形成された複数の画素を備える表示パネルと、を備えた表示装置の駆動方法であって、前記複数のカラムラインから選択されたいずれか１つのカラムラインをデータ信号によって駆動させると同時に、残りのカラムラインにはプリセット信号を伝達して、前記プリセット信号によってプリチャージさせるステップと、前記プリセット信号によってプリチャージされたカラムラインを前記データ信号によって順次駆動させるステップと、を含む表示装置の駆動方法を提供する。
【発明の効果】
【００２３】
本発明によれば、次のような効果が得られる。
【００２４】
従来技術において、カラムラインの時分割を用いた駆動方法は、パネルの時間遅延値による影響が大きいため、ＬＴＰＳをベースとするパネルのように、寄生時間遅延が小さい場合にのみ用いられてきた。非晶質シリコンをベースとするパネルの場合、ＬＴＰＳパネルに比べて製造コストが低い反面、画素のスイッチング素子として用いられるＴＦＴ素子の動作抵抗（ＯＮ  ｒｅｓｉｓｔａｎｃｅ）が非常に高いため、画素の充電には、通常、十数μｓ以上が必要になる。そのため、カラムラインの時分割駆動方法は、特定のパネルに限って適用されてきた。
【００２５】
したがって、本発明では、パネルの寄生時間遅延に関係なく、カラムラインの時分割駆動を可能とすることにより、カラムデータ駆動回路の面積を画期的に減少させるだけでなく、バッファ数の減少による電力消費を低減できるという効果が得られるようにした。
【図面の簡単な説明】
【００２６】
【図１】従来技術に係る液晶表示装置の構成図である。
【図２】図１に示す液晶表示装置の動作波形図である。
【図３】従来技術に係る液晶表示装置の構成図である。
【図４】図３に示す液晶表示装置の動作波形図である。
【図５】本発明の第１実施形態に係るカラムデータ駆動回路を示す構成図である。
【図６】図５に示すプリセット信号生成方法を説明するための図である。
【図７】本発明の第２実施形態に係るカラムデータ駆動回路を示す構成図である。
【図８】図７に示すカラムデータ駆動回路を備えた表示装置の構成図である。
【図９】図８に示す表示装置の動作波形図である。
【図１０】本発明の第３実施形態に係るカラムデータ駆動回路を示す構成図である。
【図１１】図１０に示すカラムデータ駆動回路を備えた表示装置の構成図である。
【図１２】図１１に示す表示装置の動作波形図である。
【図１３】画素の共通電極電圧ＶＣＯＭの調整方法を説明するための図である。
【発明を実施するための形態】
【００２７】
以下、本発明の属する技術分野における通常の知識を有する者が本発明の技術的思想を容易に実施できる程度に詳細に説明するため、添付図面を参照して本発明の好ましい実施形態を説明する。また、明細書内に記載されている、「ｎ」、「ｍ」、「ｋ」などと表記された変数は、全て自然数である。また、明細書全体において同じ図面符号（または、参照符号）で表記された部分は、同じ要素を表す。
【００２８】
図５は、本発明の第１実施形態に係るカラムデータ駆動回路を示す構成図である。ここでは、１つのカラムラインを駆動する駆動回路を挙げて説明する。
【００２９】
同図に示すように、本発明の第１実施形態に係るカラムデータ駆動回路２００は、画像データＤＡＴＡ＿ＤＩＧに対応するプリセット信号Ｐ＿ＳＥＴ１〜Ｐ＿ＳＥＴＮにより、カラムラインＣＬをプリチャージさせるプリチャージ手段２１０と、画像データＤＡＴＡ＿ＤＩＧに対応するデータ信号ＤＡＴＡ＿ＡＮＡを用いてカラムラインＣＬを駆動させる駆動手段２２０とを備える。
【００３０】
プリチャージ手段２１０は、入力されたプリセット信号Ｐ＿ＳＥＴ１〜Ｐ＿ＳＥＴＮのうち、現在入力されている画像データＤＡＴＡ＿ＤＩＧに対応するプリセット信号を選択するプリセット信号選択部２１１と、プリセット信号選択部２１１から出力されたいずれか１つのプリセット信号をカラムラインＣＬに伝達して、カラムラインＣＬをプリチャージさせるプリセット信号転送部２１２とを備える。
【００３１】
プリセット信号選択部２１１は、デコーダからなり得る。また、プリセット信号選択部２１１は、マルチプレクサからなり得る。プリセット信号転送部２１２は、トランスファゲートからなり得る。トランスファゲートは、ＮＭＯＳトランジスタと、ＰＭＯＳトランジスタとからなる。詳細には、ＮＭＯＳトランジスタとＰＭＯＳトランジスタとが互いに並列接続された構造、すなわち、ソース及びドレインが互いに接続された構造からなる。このとき、ＮＭＯＳトランジスタ及びＰＭＯＳトランジスタのゲートは、互いに同じ制御信号を受信する。
【００３２】
駆動手段２２０は、デジタル信号である画像データＤＡＴＡ＿ＤＩＧをアナログ信号に変換したデータ信号ＤＡＴＡ＿ＡＮＡをバッファリングして出力するバッファ２２１と、バッファ２２１の出力信号、すなわち、バッファリングされたデータ信号をカラムラインＣＬに伝達して、カラムラインＣＬを駆動させるデータ信号転送部２２２とを備える。バッファ２２１は、単位利得増幅器（ｕｎｉｔ  ｇａｉｎ  ａｍｐｌｉｆｉｅｒ）からなり、パネルのＲＣ負荷と駆動回路との間に位置する。データ信号転送部２２２は、プリセット信号転送部２１２と同じように、トランスファゲートからなる。
【００３３】
プリセット信号Ｐ＿ＳＥＴ１〜Ｐ＿ＳＥＴＮは、図６に示すように、画像データＤＡＴＡ＿ＤＩＧに対応する値に予め設定され得る。例えば、画像データＤＡＴＡ＿ＤＩＧが６ビット、すなわち、「００００００〜１１１１１１」のデータ値を有する場合、プリセット信号Ｐ＿ＳＥＴ１〜Ｐ＿ＳＥＴＮは、「００００００〜１１１１１１」のデータにそれぞれ対応する電圧（または、電流）レベルを有する。より詳細には、「Ｐ＿ＳＥＴ１」は、「００１１１１」に対応する値を有し、「Ｐ＿ＳＥＴ２」は、「０１０１１１」に対応する値を有する。また、「Ｐ＿ＳＥＴ３」は「０１１１１１」、「Ｐ＿ＳＥＴＮ」は「１１１１１１」に対応する値を有する。プリセット信号Ｐ＿ＳＥＴ１〜Ｐ＿ＳＥＴＮの電圧（または、電流）レベルは、分割されたカラムラインの数及びＤ／Ａ変換部の条件またはガンマ補正曲線によって変動可能である。
【００３４】
また、本発明の第１実施形態に係るカラムデータ駆動回路２００は、デジタル信号である画像データＤＡＴＡ＿ＤＩＧを受信して、アナログ信号であるデータ信号ＤＡＴＡ＿ＡＮＡに変換するＤ／Ａ変換部２３０をさらに備える。Ｄ／Ａ変換部２３０は、ｎビットの画像データＤＡＴＡ＿ＤＩＧと２ｎ個のアナログ信号とを受信して、２ｎ個のアナログ信号のうち、現在入力されている画像データに対応するアナログ信号を選択的に出力する。
【００３５】
図７は、本発明の第２実施形態に係るカラムデータ駆動回路を示す構成図である。ここでは、３つのカラムラインを駆動する駆動回路を挙げて説明する。
【００３６】
同図に示すように、本発明の第２実施形態に係るカラムデータ駆動回路３００は、図５に示す第１実施形態に係るカラムデータ駆動回路２００と同じように、プリチャージ手段３１０と、駆動手段３２０とを備える。ただし、第２実施形態では、全てのカラムラインＣＬ１〜ＣＬ３をプリチャージさせるのではなく、駆動手段３２０を介して最初に駆動されるカラムラインはプリチャージさせない。すなわち、カラムラインＣＬ１〜ＣＬ３のうち、駆動手段３２０を介してデータ信号ＤＡＴＡ＿ＡＮＡによって駆動されるカラムライン、例えば、「ＣＬ２」は、プリチャージ手段３１０によってプリチャージされない。そのため、プリチャージ手段３１０は、「ＣＬ１」、「ＣＬ３」にのみ設けられる。
【００３７】
図８は、図７に示すカラムデータ駆動回路３００を適用した表示装置を示す構成図である。
【００３８】
同図に示すように、表示装置は、複数のローラインＲＬ１〜ＲＬｍとカラムラインＣＬ１〜ＣＬｎとが直交する領域に形成された画素Ｐｘを備える表示パネル４１０と、複数のローラインＲＬ１〜ＲＬｍを駆動させるローデータ駆動手段４００、すなわち、ローデータ駆動部と、複数のカラムラインＣＬ１〜ＣＬｎを駆動させるカラムデータ駆動手段３００とを備える。
【００３９】
カラムデータ駆動手段３００は、図７に示すカラムデータ駆動回路と同じ構成を有する。詳細には、プリセット信号Ｐ＿ＳＥＴ１〜Ｐ＿ＳＥＴＮのうち、画像データＤＡＴＡ＿ＤＩＧに対応するプリセット信号により、当該カラムラインＣＬ１、ＣＬ３をプリチャージさせるプリチャージ部３１０と、画像データＤＡＴＡ＿ＤＩＧに対応するデータ信号ＤＡＴＡ＿ＡＮＡを用いてカラムラインＣＬ１〜ＣＬ３を駆動させる駆動部３２０とを備える。
【００４０】
表示パネル４１０は、低温ポリシリコン（ＬＴＰＳ）に比べて製造コストが安価な非晶質シリコンをベースとすることが好ましい。このほか、低温ポリシリコン（ＬＴＰＳ）をベースとすることもできる。画素Ｐｘは、液晶４１１と、ＴＦＴスイッチ部４１２とからなる。このほか、画素Ｐｘは、液晶の代わりに有機発光（ＯＬＥ：Ｏｒｇａｎｉｃ  Ｌｉｇｈｔ−Ｅｍｉｔｔｉｎｇ）材料からなり得る。
【００４１】
また、本発明の表示装置は、画像データＤＡＴＡ＿ＤＩＧに対応してプリセット信号Ｐ＿ＳＥＴ１〜Ｐ＿ＳＥＴＮを生成するプリセット信号生成部（図示せず）をさらに備える。プリセット信号生成部は、カラムデータ駆動手段３００を備える集積回路の内部または外部に具現可能である。
【００４２】
一方、図８においては、３つのカラムラインＣＬ１〜ＣＬ３を１つのバッファ３２１が時分割して駆動するように構成されているが、これは一例であって、時分割されて駆動されるカラムラインの数は制限されない。ただし、表示パネル４１０の特性（例えば、ＲＣ遅延）により適宜調整可能である。
【００４３】
図９は、図８に示す表示装置の動作波形図である。
【００４４】
同図に示すように、ローデータ駆動手段４００は、ローラインＲＬ１〜ＲＬｎにスキャンパルスを順次印加してローラインＲＬ１〜ＲＬｎを駆動させる。例えば、「ＲＬ１」の駆動期間（すなわち、「ＲＬ１」が論理ハイ状態に活性化される水平周期）は、３つに時分割される。この期間において、第１制御信号ＧＡ，ＲＡ，ＢＡは、論理ハイ状態に順次活性化される。
【００４５】
まず、「ＧＡ」が論理ハイ状態で入力されると、駆動部３２０のデータ信号転送部３２２＿２により、カラムラインＣＬ２にデータ信号ＤＡＴＡ＿ＡＮＡが伝達され、カラムラインＣＬ２がデータ信号ＤＡＴＡ＿ＡＮＡによって駆動される。このとき、第２制御信号ＲＤ，ＢＤが同時に論理ハイ状態で入力され、プリチャージ部３１０のプリセット信号転送部３１２＿１，３１２＿２により、カラムラインＣＬ１、ＣＬ３は、画像データＤＡＴＡ＿ＤＩＧに対応するプリセット信号によってプリチャージされる。すなわち、実際にデータ信号ＤＡＴＡ＿ＤＩＧを用いてカラムラインＣＬ２を駆動させている間に、選択されたプリセット信号を用いてカラムラインＣＬ１、ＣＬ３を予備駆動させる。
【００４６】
カラムラインＣＬ１、ＣＬ３のプリチャージが完了した後、第２制御信号ＲＤ，ＢＤは、論理ロー状態に遷移し、プリセット信号転送部３１２＿１，３１２＿２はターンオフされる。これにより、プリセット信号選択部３１１＿１、３１１＿２によって選択されたプリセット信号は、カラムラインＣＬ１、ＣＬ３に伝達されず、プリセット信号転送部３１２＿１，３１２＿２によって遮断される。
【００４７】
「ＲＡ」が論理ハイ状態で入力されると、データ信号転送部３２２＿１がターンオンされ、バッファ３２１から出力されたデータ信号ＤＡＴＡ＿ＡＮＡが、データ信号転送部３２２＿１を介してカラムラインＣＬ１に伝達される。すなわち、当該プリセット信号によって予めプリチャージされたカラムラインＣＬ１は、データ信号転送部３２２＿１を介して伝達されたデータ信号ＤＡＴＡ＿ＡＮＡによって駆動される。
【００４８】
カラムラインＣＬ３も、カラムラインＣＬ１の駆動方法と同じ方法によって駆動される。すなわち、「ＢＡ」が論理ハイ状態で入力されると、データ信号転送部３２２＿３がターンオンされ、バッファ３２１から出力されたデータ信号ＤＡＴＡ＿ＡＮＡが、データ信号転送部３２２＿３を介してカラムラインＣＬ３に伝達される。すなわち、当該プリセット信号によって予めプリチャージされたカラムラインＣＬ３は、データ信号転送部３２２＿３を介して伝達されたデータ信号ＤＡＴＡ＿ＡＮＡによって駆動される。
【００４９】
上記の駆動方法によって得られるカラムラインＣＬ１〜ＣＬ３の動作波形は、図９のとおりである。カラムラインＣＬ１〜ＣＬ３の動作波形において、実線は、プリチャージ部３１０または駆動部３２０を介してプリセット信号またはデータ信号が伝達されてカラムラインＣＬ１〜ＣＬ３が駆動される期間であり、点線は、プリセット信号転送部３１２＿１，３１２＿２とデータ信号転送部３２２＿１〜３２２＿３とがいずれもターンオフされ、カラムラインから隔離されるフローティング期間である。
【００５０】
図４と図９との動作波形を比較すると、図４と図９との動作波形における最大の相違点は、当該カラムラインをデータ信号によって駆動させる前に、ある程度のプリセット信号によって予めプリチャージさせるという点である。これにより、駆動部３２０、すなわち、バッファ３２１の駆動すべき電荷量が減少するため、同じ表示パネル４１０の時間遅延でも、セトリングタイムマージン（ｓｅｔｔｌｉｎｇ  ｔｉｍｅ  ｍａｒｇｉｎ）が向上するという効果が得られる。
【００５１】
図９において、カラムラインＣＬ１〜ＣＬ３の駆動順序は一例であって、カラムラインＣＬ１〜ＣＬ３のどれを先に駆動しても、その駆動方法は同じである。また、プリチャージ部３１０を介してカラムラインＣＬ１〜ＣＬ３が同時にプリチャージされると説明されているが、これもまた、一例であって、場合によっては、プリチャージされるカラムラインを変更することができる。
【００５２】
図１０は、本発明の第３実施形態に係るカラムデータ駆動回路を示す構成図である。ここでは、３つのカラムラインを駆動する駆動回路を挙げて説明する。
【００５３】
同図に示すように、本発明の第３実施形態に係るカラムデータ駆動回路５００は、図７に示す第２実施形態に係るカラムデータ駆動回路３００とは異なり、プリチャージ手段が全てのカラムラインＣＬ１〜ＣＬ３をプリチャージさせるように設けられる。すなわち、全てのカラムラインＣＬ１〜ＣＬ３は、プリチャージ手段から伝達された当該プリセット信号により、水平周期の間にプリチャージされる。
【００５４】
図１１は、図１０に示すカラムデータ駆動回路５００を適用した表示装置を示す構成図である。
【００５５】
同図に示すように、表示装置は、複数のローラインＲＬ１〜ＲＬｍとカラムラインＣＬ１〜ＣＬｎとが直交する領域に形成された画素Ｐｘを備える表示パネル６１０と、複数のローラインＲＬ１〜ＲＬｍを駆動させるローデータ駆動手段６００、すなわち、ローデータ駆動部と、複数のカラムラインＣＬ１〜ＣＬｎを駆動させるカラムデータ駆動手段５００とを備える。
【００５６】
カラムデータ駆動手段５００は、図１０に示すカラムデータ駆動回路と同じ構成を有する。
【００５７】
表示パネル６１０の駆動方法のうち、共通電極電圧ＶＣＯＭの調整方法によると、図１３のように、画素Ｐｘの共通電極電圧ＶＣＯＭがカラムラインとともに交番する。このとき、特定のローラインの駆動期間、すなわち、活性化される期間の１水平周期（１Ｈ  ｄｕｒａｔｉｏｎ）の間に共通電極の電圧レベルが変化する。すなわち、「ＴＡ」期間における共通電極電圧ＶＣＯＭと、「ＴＣ」期間における共通電極電圧ＶＣＯＭとで差が生じ得る。すると、当該カラムラインを駆動させるための目標値電圧（または、電流）は、正確な値を見出すとしても、共通電極電圧ＶＣＯＭが、「ＴＡ」期間と「ＴＣ（または、ＴＢ）」期間とで互いに異なるため、画素Ｐｘに充電される電荷量にオフセットが発生し、それが、結果として画質に影響を及ぼすようになる。
【００５８】
したがって、ローラインＲＬ１〜ＲＬｍが駆動される水平周期ごとに、交番的にデータ信号ＤＡＴＡ＿ＡＮＡによって駆動されるカラムラインＣＬ１〜ＣＬｎの駆動順序を変更する。これにより、各々のローラインに発生するカラムライン間のオフセットは互いに相殺され、画質改善効果を得ることができる。
【００５９】
図１２は、図１１に示す表示装置の動作波形図である。同図に示すように、各ローラインＲＬ１〜ＲＬｍが駆動する水平周期（１Ｈ〜３Ｈ）ごとに、交番的にデータ信号ＤＡＴＡ＿ＡＮＡによって駆動されるカラムラインの駆動順序を変更する。水平周期「１Ｈ」の間には、「ＣＬ１→ＣＬ２→ＣＬ３」の順に駆動させ、水平周期「２Ｈ」の間には、「ＣＬ２→ＣＬ１→ＣＬ３」の順に駆動させ、水平周期「３Ｈ」の間には、「ＣＬ３→ＣＬ２→ＣＬ１」の順に駆動させる。
【００６０】
上述のように、本発明の技術的思想は、好ましい実施形態により具体的に記述されたが、上記の実施形態は、それを説明するためのものであり、それを制限するためのものではないことに留意しなければならない。特に、本発明の実施形態では、液晶表示装置を一例として説明したが、本発明は、ＬＴＰＳ、ＯＬＥＤ（Ｏｒｇａｎｉｃ  Ｌｉｇｈｔ−Ｅｍｉｔｔｉｎｇ  Ｄｉｏｄｅ）、ＰＤＰ（Ｐｌａｓｍａ  Ｄｉｓｐｌａｙ  Ｐａｎｎｅｌ）ドライバなどのようなＦＰＤ（Ｆｌａｔ  Ｐａｎｅｌ  Ｄｉｓｐｌａｙ）産業の全般にわたって適用可能である。また、本発明は、この技術分野における通常の専門家であれば、本発明の技術的思想の範囲内で多様な実施形態が可能であることを理解することができる。
【符号の説明】
【００６１】
２００、３００、５００      カラムデータ駆動回路
２１０、３１０              プリチャージ手段
２２０、３２０              駆動手段
２３０、３３０、５３０      Ｄ／Ａ変換部
２１１、３１１＿１、３１１＿２、５１１−１、５１１−２、５１１−３
プリセット信号選択部
２１２、３１２＿１、３１２＿２、５１２−１、５１２−２、５１２−３
プリセット信号転送部
２２１、３２１、５２１      バッファ
２２２、３２２＿１、３２２＿２、３２２＿３、５２２−１、５２２−２、５２２−３                    データ信号転送部
４００、６００              ローデータ駆動手段
４１０、６１０              表示パネル
４１１、６１１              液晶
４１２、６１２              ＴＦＴスイッチ部
【図１】
2010049237.tif 000003
【図２】
2010049237.tif 000004
【図３】
2010049237.tif 000005
【図４】
2010049237.tif 000006
【図５】
2010049237.tif 000007
【図６】
2010049237.tif 000008
【図７】
2010049237.tif 000009
【図８】
2010049237.tif 000010
【図９】
2010049237.tif 000011
【図１０】
2010049237.tif 000012
【図１１】
2010049237.tif 000013
【図１２】
2010049237.tif 000014
【図１３】
2010049237.tif 000015